(57)【要約】【課題】患者等に対する空間的圧迫感を和らげ、かつ室内空間の有効活用を図るとともに、より単純な構造を有する構成要素を用いる医療用配管配線接続端子収納ユニットを提供する。【解決手段】収納ユニット１０は、壁中に埋め込まれるように装着されるフレーム１３と、フレームの前面を覆うカバー１１とを備える。フレームは、複数のパネル１５と、第１ばね部材３０と、第２ばね部材３２とを含む。カバーは、２つのカバー部材１１ａ，１１ｂを含み、カバー部材には、パネルの突条２６ａ，２６ｂに係合される係合部５０と、第１ばね部材に係止される係止爪５１とが形成される。カバー部材の係合部をパネルの突条に係合させ、係止爪を第１ばね部材の係止部に係止させることによって、壁中に埋め込まれるように装着されるフレームに対してカバーを容易に装着することができる。【選択図】      図４
2005027849.tif 000002
【特許請求の範囲】
【請求項１】
壁中に埋込まれるように装着され、横の長手方向に細長く延び、医療用配管配線接続端子が収納されるフレームと、
接続端子を露出してフレームの前面を覆うカバーとを含む医療用配管配線接続端子収納ユニットにおいて、
フレームは、
壁中に設けられる背面板と、
背面板から前方に突出する上仕切板と、
上仕切板の下方にあって背面板から前方に突出する下仕切板と、
上仕切板の遊端部と下仕切板の遊端部とに連接するように設けられる複数のパネルであって、上端部と下端部とに突条が形成されるパネルと、
上仕切板に装着されて上仕切板に対して上方に延びる上翼板と、
下仕切板に装着されて下仕切板に対して下方に延びる下翼板と、
上翼板および下翼板の前面に、前方に延びるようにしてそれぞれ設けられ、先端部付近に係止部が形成される第１ばね部材と、
パネルが上仕切板および下仕切板に装着される装着部にそれぞれ設けられる第２ばね部材とを含み、
カバーは、
前記パネルの突条に係合する係合部と、前記第１ばね部材の係止部に係止される係止爪とがそれぞれ形成される２つの第１および第２カバー部材とを含み、
第１および第２カバー部材が、前記フレームに対して着脱自在に装着されることを特徴とする医療用配管配線接続端子収納ユニット。
【請求項２】
第１ばね部材は、
長手方向に垂直な断面形状が略Ｌ字状を有し、上翼板および下翼板に当接して装着される支持片と、支持片に連なって略垂直に立上り先端に前記係止部が形成される係止片とを備え、
前記第１および第２カバー部材に形成される係止爪は、
前方に臨む係止面と、係止面に対して略垂直に形成される対向面と、一方で係止面に連なり係止面から遠ざかるにつれて対向面に近接するように傾斜して他方で対向面に連なる傾斜面とを備え、
第１および第２カバー部材の係合部をパネルの突条に係合させ、係合部を支点にして第１および第２カバー部材を壁に向う方向へ角変位させることによって、係止爪の傾斜面が第１ばね部材の係止部に当接し、次いで第１ばね部材の係止片が弾性変形して係止部と係止爪とが係止状態となり、係止状態では、第２ばね部材のばね力が第１および第２カバー部材をパネルの突条に対して付勢し、第１ばね部材のばね力が係止爪を介して第１および第２カバー部材に対して壁に向う方向に張力を負荷するように第１および第２カバー部材がフレームに装着され、
前記係止状態から、係合部を支点として第１および第２カバー部材を壁から離反する方向に向って角変位させることによって、第１ばね部材の係止片が弾性変形して係止爪と係止部との係止状態が解除されて第１および第２カバー部材がフレームから離脱されるように構成されることを特徴とする請求項１記載の医療用配管配線接続端子収納ユニット。
【請求項３】
前記第１および第２カバー部材の係合部が形成される側と反対側の端部は、
第１および第２カバー部材が前記フレームに装着された状態で、壁側に向って湾曲するように形成されることを特徴とする請求項１または２記載の医療用配管配線接続端子収納ユニット。
【請求項４】
第１カバー部材と第２カバー部材とは、
前記フレームに装着された状態で、前記フレームの上下方向中央位置における仮想水平面に関して面対称になるように形成されることを特徴とする請求項１〜３のいずれかに記載の医療用配管配線接続端子収納ユニット。
【請求項５】
第１ばね部材と第２ばね部材とは、相互に対応して設けられることを特徴とする請求項１〜４のいずれかに記載の医療用配管配線接続端子収納ユニット。
【発明の詳細な説明】
【０００１】
【発明の属する技術分野】
本発明は、治療室および一般病室などにおいて好適に使用され、治療に必要なたとえば酸素、笑気および空気などの医療用ガスを供給するアウトレットおよび電力を供給する強電用接続端子、さらにナースコールなどの電気信号の弱電用接続端子を集中して収納する医療用配管配線接続端子収納ユニットに関する。
【０００２】
【従来の技術】
従来、医療用配管配線接続端子収納ユニットは、壁面に取付けられている（たとえば、特許文献１参照）。図１３は、従来の医療用配管配線接続端子収納ユニット１の構成を示す斜視図である。このような従来の医療用配管配線接続端子ユニット１は、たとえば病室における患者の頭部側の壁面から突出するように設置されることから、患者等に対し空間的圧迫感を与えるほか、突出部分の空間を有効に活用することができない。
【０００３】
また、従来の医療用配管配線接続端子収納ユニット１では、フレーム２を覆うカバー３が設けられている。しかしながら、この先行技術では、カバー３は、フレーム２の前面のみならず上下左右の側面をも覆うように構成される。すなわち、この先行技術ではカバーに複雑な構造が要求される。このため、従来の医療用配管配線接続端子収納ユニットは、カバー作製時における金型の製造に長時間を要するばかりでなく、ユニット組立時におけるカバーの装着も煩雑であり、生産性が低いという問題があった。
【０００４】
【特許文献１】
特開２０００−１１６７３０号公報
【０００５】
【発明が解決しようとする課題】
本発明の目的は、患者等に対する空間的圧迫感を和らげ、かつ室内空間の有効活用を図るとともに、より単純な構造を有する構成要素を用いる医療用配管配線接続端子収納ユニットを提供することである。
【０００６】
【課題を解決するための手段】
本発明は、壁中に埋込まれるように装着され、横の長手方向に細長く延び、医療用配管配線接続端子が収納されるフレームと、
接続端子を露出してフレームの前面を覆うカバーとを含む医療用配管配線接続端子収納ユニットにおいて、
フレームは、
壁中に設けられる背面板と、
背面板から前方に突出する上仕切板と、
上仕切板の下方にあって背面板から前方に突出する下仕切板と、
上仕切板の遊端部と下仕切板の遊端部とに連接するように設けられる複数のパネルであって、上端部と下端部とに突条が形成されるパネルと、
上仕切板に装着されて上仕切板に対して上方に延びる上翼板と、
下仕切板に装着されて下仕切板に対して下方に延びる下翼板と、
上翼板および下翼板の前面に、前方に延びるようにしてそれぞれ設けられ、先端部付近に係止部が形成される第１ばね部材と、
パネルが上仕切板および下仕切板に装着される装着部にそれぞれ設けられる第２ばね部材とを含み、
カバーは、
前記パネルの突条に係合する係合部と、前記第１ばね部材の係止部に係止される係止爪とがそれぞれ形成される２つの第１および第２カバー部材とを含み、
第１および第２カバー部材が、前記フレームに対して着脱自在に装着されることを特徴とする医療用配管配線接続端子収納ユニットである。
【０００７】
本発明に従えば、医療用配管配線接続端子収納ユニット（以下、「収納ユニット」と称する。）は、壁中に埋込まれるように装着され、横の長手方向に細長く延び、医療用配管配線接続端子が収納されるフレームを含む。これによって、前述の先行技術のようにフレームが壁面から突出しないため、患者等に空間的圧迫感を与えることなく、かつ室内空間の有効活用を図ることができる。また、カバーはフレームの前面を覆う。これによって、フレーム内部を目視されないため、収納ユニットの審美性を高めることができるのみならず、より単純な構造のカバーを用いることができる。
【０００８】
さらに、第１および第２カバー部材の係合部は、パネルの上端部と下端部とに形成された突条に係合され、第１および第２カバー部材の係止爪は、第１ばね部材の先端部付近に形成される係止部に係止される。これによって、壁中に埋め込まれるように装着されたフレームに対して、カバーを容易に装着することができる。また、第１および第２カバー部材は、フレームに対して着脱自在に装着されるので、保守点検時作業が容易となる。
【０００９】
また本発明は、第１ばね部材は、
長手方向に垂直な断面形状が略Ｌ字状を有し、上翼板および下翼板に当接して装着される支持片と、支持片に連なって略垂直に立上り先端に前記係止部が形成される係止片とを備え、
前記第１および第２カバー部材に形成される係止爪は、
前方に臨む係止面と、係止面に対して略垂直に形成される対向面と、一方で係止面に連なり係止面から遠ざかるにつれて対向面に近接するように傾斜して他方で対向面に連なる傾斜面とを備え、
第１および第２カバー部材の係合部をパネルの突条に係合させ、係合部を支点にして第１および第２カバー部材を壁に向う方向へ角変位させることによって、係止爪の傾斜面が第１ばね部材の係止部に当接し、次いで第１ばね部材の係止片が弾性変形して係止部と係止爪とが係止状態となり、係止状態では、第２ばね部材のばね力が第１および第２カバー部材をパネルの突条に対して付勢し、第１ばね部材のばね力が係止爪を介して第１および第２カバー部材に対して壁に向う方向に張力を負荷するように第１および第２カバー部材がフレームに装着され、
前記係止状態から、係合部を支点として第１および第２カバー部材を壁から離反する方向に向って角変位させることによって、第１ばね部材の係止片が弾性変形して係止爪と係止部との係止状態が解除されて第１および第２カバー部材がフレームから離脱されるように構成されることを特徴とする。
【００１０】
本発明に従えば、第１および第２カバー部材の係合部を支点として第１および第２カバー部材を壁に向う方向へ角変位するので、カバー部材を装着すべき位置を容易に決定することができる。
【００１１】
また、係止状態では、第２ばね部材が第１および第２カバー部材をパネルの突条に対して付勢することによって、カバー部材の係合部とパネルの突条との係合が不慮に解除されることはなく、また、第１ばね部材による壁に向う方向への張力によって、カバー部材が不慮に離脱することはないので、係止状態をさらに安定的に維持することができる。
【００１２】
さらに、係合部を支点として第１および第２カバー部材を壁から離反する方向に向って角変位させることによって、第１ばね部材の係止片が弾性変形して係止爪と係止部との係止状態が解除されて第１および第２カバー部材がフレームから離脱される。これによって、係止状態の解除が容易となり、かつ保守点検時作業が容易となる。
【００１３】
また本発明は、前記第１および第２カバー部材の係合部が形成される側と反対側の端部は、
第１および第２カバー部材が前記フレームに装着された状態で、壁側に向って湾曲するように形成されることを特徴とする。
【００１４】
本発明に従えば、第１および第２カバー部材と壁面との前後方向の間隙をより小さくすることができるので、カバーをフレームに装着したユニット外観の審美性を高めることができる。
【００１５】
また本発明は、第１カバー部材と第２カバー部材とは、
前記フレームに装着された状態で、前記フレームの上下方向中央位置における仮想水平面に関して面対称になるように形成されることを特徴とする。
【００１６】
本発明に従えば、第１および第２カバー部材として、互換性のある同一のカバー部材を用いることができるので、部材作製時に同一の金型で製造することができ、また、ユニット組立時に第１カバー部材と第２カバー部材とを選別する必要はなく、さらに生産性が向上する。
【００１７】
また本発明は、第１ばね部材と第２ばね部材とは、相互に対応して設けられることを特徴とする。
【００１８】
本発明に従えば、第１ばね部材と第２ばね部材とは、相互に対応して設けられる。これによって、第１ばね部材による張力と第２ばね部材による付勢との平衡状態がより好適に実現されるので、カバー部材のフレームに対する装着状態をさらに安定させることができる。
【００１９】
【発明の実施の形態】
図１は本発明の実施の一形態である収納ユニット１０の外観正面図であり、図２は図１に示す収納ユニット１０の平面図であり、図３はカバー１１を離脱した状態での図１に示す収納ユニット１０の斜視図である。収納ユニット１０は、大略、前面（図１の正面）と後面の一部とが開放された外枠１２と、フレーム１３と、カバー１１とによって構成される。フレーム１３には、収納ユニット１０に収納される接続端子１４が設けられ、この接続端子１４は、医療用ガス、たとえば酸素、笑気ガス、および空気などのアウトレットなどを含む。フレーム１３の前面には、複数のパネル１５が設けられる。いくつかのパネル１５には、前記接続端子１４の寸法に整合する開口部が形成され、これらの接続端子は該開口部を介して露出可能である。図１、図２および図３において、これらの接続端子１４は、蓋部材１６で覆われている状態が示される。また、いくつかのパネル１５には、交流電流のコンセント１７、アース端子１８、患者のネームプレート１９、および電源スイッチ２０などが設けられる。カバー１１は、フレーム１３の前面に対して装着される。すなわち、カバー１１は、第１カバー部材１１ａおよび第２カバー部材１１ｂを含み、これらのカバー部材１１ａ，１１ｂは、パネル１５の上方および下方においてフレーム１３にそれぞれ着脱自在に装着される。
【００２０】
図４は、壁中に埋め込まれた状態の図１に示す収納ユニット１０の断面図である。病室における患者の頭部側の壁面には、収納ユニット１０を壁中に埋め込むための所望の寸法の凹所が予め形成される。この凹所には、外枠１２が、壁中に存在する柱などに溶接またはねじ止めされるなどによって固定される。
【００２１】
図５は、外枠１２、フレーム１３およびカバー１１の構成を簡略化して示す断面図である。フレーム１３は、壁中に設けられる背面板２１と、背面板２１から前方（図５の紙面に向かって左方）に突出する上仕切板２２と、上仕切板２２の下方にあって背面板２１から前方に突出する下仕切板２３と、上仕切板２２の遊端部２４と下仕切板２３の遊端部２５とに連接するように設けられる複数のパネル１５であって、上端部と下端部とに突条２６ａ，２６ｂが形成されるパネル１５と、上仕切板２２に装着されて上仕切板２２に対して上方に延びる上翼板２７と、下仕切板２３に装着されて下仕切板２３に対して下方に延びる下翼板２８と、上翼板２７および下翼板２８の前面に、前方に延びるようにしてそれぞれ設けられ、先端部付近に係止部２９が形成される第１ばね部材３０と、パネル１５が上仕切板２２および下仕切板２３に装着される装着部３１ａ，３１ｂにそれぞれ設けられる第２ばね部材３２とを含む。
【００２２】
背面板２１の上下端部付近には、一端部にねじ頭の形成された第１ねじ８０と、第２ねじ８１ａおよび背面板２１よりも前方側で第２ねじ８１ａに螺合するナット８１ｂとが、それぞれ設けられる。第１ねじ８０は、背面板２１に形成される貫通孔８２を挿通し、外枠１２に形成されるめねじ部８３に螺合するように設けられ、その回転によって前後方向に進退可能である。第２ねじ８１ａは、背面板２１に形成されるめねじ部８４に螺合するように設けられ、その回転によって前後方向に進退可能であり、所望の位置でナット８１ｂを締付けることによって該位置に固定される。
【００２３】
ナット８１ｂを緩めて第２ねじ８１ａを後退させ、第２ねじ８１ａの先端部が外枠１２から離反した状態で、外枠１２のめねじ部８３に螺合する第１ねじ８０を進退させることによって、背面板２１と外枠１２との距離を所望の大きさに調節することができる。背面板２１と外枠１２との距離を所望の大きさに調整した後、第２ねじ８１ａを締めて前進させ、その先端部を外枠１２へ当接させ、さらにナット８１ｂを締付けることによって、背面板２１を所望の位置に固定することができる。このようにして、背面板１２に各部材が連なって構成されるフレーム１３の外枠１２に対する前後方向の位置を適宜調節することができる。
【００２４】
本実施の形態では、背面板２１と上下仕切板２２，２３とは一体部材として形成され、外枠１２と上仕切板２２との間には第１空間３３が形成され、また外枠１２と下仕切板２３との間には第２空間３４が形成される。第１および第２空間３３，３４には、前述した接続端子１４に接続される配管、またはコンセント１７やスイッチ２０などに接続される配線が設けられる。上仕切板２２と下仕切板２３との間の第３空間３５には、前記接続端子１４などが収納される。
【００２５】
上仕切板２２および下仕切板２３の遊端部２４，２５には、長手方向に延び、前方に臨む溝３６ａ，３６ｂがそれぞれ形成される。上翼板２７は上仕切板２２に、また下翼板２８は下仕切板２３に対してねじによって装着される。また、上翼板２７および下翼板２８は、上仕切板２２および下仕切板２３の遊端部２４，２５の溝３６ａ，３６ｂの底部３７ａ，３７ｂをねじが挿通して固定される構成であってもよい。この背面板２１、および上下仕切板２２，２３は、たとえばアルミニウムまたはその合金からなり、押出成形によって長尺材として製造される。また、上翼板２７および下翼板２８は、たとえば鋼板などの金属材料から成る。
【００２６】
部分的な断面形状が略Ｊ字状に形成されるパネル１５の上端部および下端部には、上仕切板２２の遊端部２４と下仕切板２３の遊端部２５とに当接して装着される装着部３１ａ，３１ｂと、装着部３１ａ，３１ｂに対向するように、突条２６ａ，２６ｂとがそれぞれ形成される。下仕切板２３の遊端部２５には、パネル１５を支持する支持突片３８が形成され、パネル１５の下端側の装着部３１ｂをこの支持突片３８に当接支持させることによって、パネル１５の上下方向の位置決めをすることができる。パネル１５は、各装着部３１ａ，３１ｂを挿通し、溝３６ａ，３６ｂに刻設されるめねじ部に螺合するねじ３９ａ，３９ｂによって、上下仕切板２２，２３に対して固定される。
【００２７】
図６は、第１ばね部材３０の構成を示す図である。第１ばね部材３０は、たとえばベリリウム銅またはチタン銅などの金属材料からなる板ばねであり、長手方向に垂直な断面形状が略Ｌ字状を有し、上翼板２７および下翼板２８に当接して装着される支持片４０と、支持片４０に連なって略垂直に立上り先端に係止部２９が形成される係止片４１とを備える。係止部２９は、支持片４０が形成されている方向に突出するように曲折して形成される係止端部４２を備える。支持片４０には、貫通孔４４ａ，４４ｂが２つ形成され、この貫通孔４４ａ，４４ｂにねじ４５ａ，４５ｂを挿通させ、該ねじ４５ａ，４５ｂを上翼板２７、下翼板２８に刻設されるめねじ部に螺合させることによって、支持片４０が上翼板２７、下翼板２８に装着される。第１ばね部材３０が上翼板２７または下翼板２８に装着された状態で、支持片４０は固定されるけれども、係止片４１は、その素材の有する弾性によって、長手方向に延びる支持片４０と係止片４１との連接部まわりに角変位（弾性変形）可能である。
【００２８】
図７は、第２ばね部材３２の構成を示す図である。第２ばね部材３２は、たとえばベリリウム銅またはチタン銅などの金属材料からなる板ばねであり、長手方向の断面形状が略Ｕ字状を有し、装着部に当接して装着される支持部４６と、支持部４６に連なって支持部４６の両端から斜め方向にそれぞれ立上る２つの付勢片４７ａ，４７ｂとを備える。付勢片４７ａ，４７ｂの先端部付近には、第１および第２カバー部材１１ａ，１１ｂに当接してパネル１５の突条２６ａ，２６ｂに対して付勢する付勢端部４８ａ，４８ｂがそれぞれ形成される。支持部４６には貫通孔４９が形成され、ねじ３９ａ，３９ｂが、この貫通孔４８を挿通し、パネル１５の装着部３１ａ，３１ｂに刻設されるめねじ部に螺合されることによって、第２ばね部材３２がパネル１５に固定される。本実施の形態においては、パネル１５の装着部３１ａ，３１ｂを上仕切板２２の遊端部２４に装着するために用いられるねじ３９ａ，３９ｂは、第２ばね部材３２を該装着部３１ａ，３１ｂに対して固定するためにも用いられている。
【００２９】
図８は、第１ばね部材３０と第２ばね部材３２とがそれぞれ装着された状態を示す拡大斜視図である。本実施の形態においては、第１ばね部材３０と第２ばね部材３２とは、上下方向に一対一に並設されているけれども、第１および第２ばね部材３０，３２は必ずしも対応して設けられる必要はなく、その配置および個数は、第１および第２カバー部材１１ａ，１１ｂの長手方向の長さ、および各ばね部材３０，３２のばね力などに応じて適宜選択されることができる。
【００３０】
図９は第１カバー部材１１ａがフレーム１３に装着されている状態を示す図４Ａ部の拡大断面図であり、図１０はカバー１１の構成を示す断面図である。なお、第１カバー部材１１ａと第２カバー部材１１ｂとは、フレーム１３に装着された状態で、フレーム１３の上下方向中央位置における仮想水平面に関して面対称になるように形成される。したがって、第１カバー部材１１ａと第２カバー部材１１ｂとは、対称位置に装着されるのみで、同一に構成される。
【００３１】
第１および第２カバー１１ａ，１１ｂは、たとえばアルミニウムまたはその合金からなり、押出成形によって長尺材として製造される。第１および第２カバー部材１１ａ，１１ｂには、パネル１５の突条２６ａ，２６ｂに係合する係合部５０と、第１ばね部材３０の係止部２９に係止される係止爪５１とが形成される。
【００３２】
第１および第２カバー部材１１ａ，１１ｂの一端部に形成される係合部５０は、第１および第２カバー部材１１ａ，１１ｂの外面５２に連なり、外面５２に対して略垂直に形成される第１係合面５３と、第１係合面５３に連なり、第１係合面５３に対して略垂直にすなわち外面５２と平行に形成される第２係合面５４とを備える。
【００３３】
係止爪５１は、第１および第２カバー部材１１ａ，１１ｂがフレーム１３に装着された状態で前方に臨む係止面５５と、係止面５５に対して略垂直に形成される対向面５６と、一方で係止面５５に連なり係止面５５から遠ざかるにつれて対向面５６に近接するように傾斜して他方で対向面５６に連なる傾斜面５７とを備える。
【００３４】
係合部５０と係止爪５１との間には後方に突出して、制限突片５８が形成される。この制限突片５８によって、第１および第２カバー部材１１ａ，１１ｂは制限突片５８の先端が上下仕切板２２，２３の各遊端部２４，２５に当接する位置よりも壁に向う方向に変位することはないので、装着作業を確実に行うことができる。この制限突片５８の高さｈは、第１および第２カバー部材１１ａ，１１ｂがフレーム１３に装着された通常の状態では、制限突片５８の先端が、上下仕切板２２，２３の各遊端部２４，２５に当接しない寸法が選ばれる。
【００３５】
第１および第２カバー部材１１ａ，１１ｂの係合部５０が形成される側と反対側の端部５９は、第１および第２カバー部材１１ａ，１１ｂが前記フレーム１３に装着された状態で、壁側に向って湾曲するように形成される。これによって、第１および第２カバー部材１１ａ，１１ｂと壁面６０との前後方向の間隙をより小さくすることができるので、第１および第２カバー部材１１ａ，１１ｂをフレーム１３に装着した収納ユニット１０の外観の審美性を高めることができる。また、このカバー端部５９は、好ましくは第１および第２カバー部材１１ａ，１１ｂの装着時に壁面６０に当接するように形成されることができる。
【００３６】
図１１はフレーム１３に対する第１カバー部材１１ａの装着が開始された状態の拡大断面図であり、図１２はフレーム１３に対する第１カバー部材１１ａの装着動作を示す図である。
【００３７】
図１１および図１２を参照して、フレーム１３に対する第１カバー部材１１ａの着脱手順を、以下に説明する。まず、第１カバー部材１１ａの係合部５０をパネル１５の突条２６ａに係合させる。すなわち、第１カバー部材１１ａの係合部５０の第１係合面５３をパネル１５の突条２６ａの上端面７０に当接させ、第２係合面５４をパネル１５の突条２６ａの裏面７１に当接させる。次に、該係合部５０を支点にして第１カバー部材１１ａを壁に向う方向へ角変位させる。このことによって、係止爪５１の傾斜面５７が第１ばね部材３０の係止部２９に当接する。次いで、第１カバー部材１１ａをさらに角変位させると、該傾斜面５７が係止部２９を押圧することによって、第１ばね部材１１ａの係止片４１が弾性変形する。さらに第１カバー部材１１ａを角変位させ、傾斜面５７の係止面５５側端部７２が係止部２９の係止端部４２を通過すると、第１ばね部材３０は復元し、前述の図９に示すように係止部２９と係止爪５１とが係止状態となる。以上によって、第１カバー部材１１ａはフレーム１３に装着される。
【００３８】
係止状態では、第２ばね部材３２のばね力が第１カバー部材１１ａをパネル１５の突条２６ａに対して付勢する一方で、第１ばね部材３０のばね力が係止爪５１を介して第１カバー部材１１ａに対して壁に向う方向に張力を負荷する。これによって、第１カバー部材１１ａは、フレーム１３に装着された状態を安定的に維持することができる。
【００３９】
前記係止状態から、第１カバー部材１１ａをフレーム１３から離脱するためには、係合部５０を支点として第１カバー部材１１ａを壁から離反する方向に向って角変位させる。これによって、傾斜面５７の係止面５５側端部７２が第１ばね部材３０の係止部２９を押圧し、第１ばね部材３０の係止片４１が弾性変形する。さらに第１カバー部材１１ａを角変位させ、傾斜面５７の係止面５５側端部７２が係止部２９の係止端部４２を通過すると、第１ばね部材３０は復元し、係止爪５１と係止部２９との係止状態が解除される。以上によって、第１カバー部材１１ａはフレーム１３から離脱される。
【００４０】
第２カバー部材１１ｂの着脱手順は、以上の第１カバー部材１１ａの着脱手順と同じように構成される。
【００４１】
【発明の効果】
請求項１の本発明によれば、前述の先行技術のようにフレームが壁面から突出しないため、患者等に空間的圧迫感を与えることなく、かつ室内空間の有効活用を図ることができる。
【００４２】
また、カバーはフレームの前面を覆うので、フレーム内部を目視されないため、収納ユニットの審美性を高めることができるのみならず、より単純な構造のカバーを用いることができる。
【００４３】
さらに、第１および第２カバー部材の係合部は、パネルの上端部と下端部とに形成された突条に係合され、第１および第２カバー部材の係止爪は、第１ばね部材の先端部付近に形成される係止部に係止されることによって、壁中に埋め込まれるように装着されたフレームに対して、カバーを容易に装着することができる。
【００４４】
さらにまた、第１および第２カバー部材は、フレームに対して着脱自在に装着されるので、保守点検時作業が容易となる。
【００４５】
請求項２の本発明によれば、第１および第２カバー部材の係合部を支点として第１および第２カバー部材を壁に向う方向へ角変位するので、カバー部材を装着すべき位置を容易に決定することができる。
【００４６】
また、係止状態では、第２ばね部材が第１および第２カバー部材をパネルの突条に対して付勢することによって、カバー部材の係合部とパネルの突条との係合が不慮に解除されることはなく、また、第１ばね部材による壁に向う方向への張力によって、カバー部材が不慮に離脱することはないので、係止状態をさらに安定的に維持することができる。
【００４７】
さらに、係合部を支点として第１および第２カバー部材を壁から離反する方向に向って角変位させることによって、第１ばね部材の係止片が弾性変形して係止爪と係止部との係止状態が解除されて第１および第２カバー部材がフレームから離脱される。これによって、係止状態の解除が容易となり、かつ保守点検時作業が容易となる。
【００４８】
請求項３の本発明によれば、第１および第２カバー部材と壁面との前後方向の間隙をより小さくすることができるので、カバーをフレームに装着したユニット外観の審美性を高めることができる。
【００４９】
請求項４の本発明によれば、第１および第２カバー部材として、互換性のある同一のカバー部材を用いることができるので、部材作製時に同一の金型で製造することができ、また、ユニット組立時に第１カバー部材と第２カバー部材とを選別する必要はなく、さらに生産性が向上する。
【００５０】
請求項５の本発明によれば、第１ばね部材と第２ばね部材とは、相互に対応して設けられ、これによって第１ばね部材による張力と第２ばね部材による付勢との平衡状態がより好適に実現されるので、カバー部材のフレームに対する装着状態をさらに安定させることができる。
【図面の簡単な説明】
【図１】本発明の実施の一形態である収納ユニット１０の外観正面図である。
【図２】図１に示す収納ユニット１０の平面図である。
【図３】カバー１１を離脱した状態での図１に示される収納ユニット１０の斜視図である。
【図４】壁中に埋め込まれた状態の図１に示される収納ユニット１０の断面図である。
【図５】外枠１２、フレーム１３およびカバー１１の構成を簡略化して示す断面図である。
【図６】第１ばね部材３０の構成を示す図である。
【図７】第２ばね部材３２の構成を示す図である。
【図８】第１ばね部材３０と第２ばね部材３２とがそれぞれ装着された状態を示す拡大斜視図である。
【図９】第１カバー部材１１ａがフレーム１３に装着されている状態を示す図４Ａ部の拡大断面図である。
【図１０】カバー１１の構成を示す断面図である。
【図１１】フレーム１３に対する第１カバー部材１１ａの装着が開始された状態の拡大断面図である。
【図１２】フレーム１３に対する第１カバー部材１１ａの装着動作を示す図である。
【図１３】従来の医療用配管配線接続端子収納ユニット１の構成を示す斜視図である。
【符号の説明】
１０  医療用配管配線接続端子ユニット
１１  カバー
１１ａ  第１カバー部材
１１ｂ  第２カバー部材
１２  外枠
１３  フレーム
１５  パネル
２１  背面板
２２  上仕切板
２３  下仕切板
２４  上仕切板遊端部
２５  下仕切板遊端部
２６ａ，２６ｂ  突条
２７  上翼板
２８  下翼板
２９  係止部
３０  第１ばね部材
３１ａ，３１ｂ  装着部
３２  第２ばね部材
４０  支持片
４１  係止片
４２  係止端部
４６  支持部
４７ａ，４７ｂ  付勢片
５０  係合部
５１  係止爪
５５  係止面
５７  傾斜面
５８  制限突片
５９  カバー部材端部
【図１】
2005027849.tif 000003
【図２】
2005027849.tif 000004
【図３】
2005027849.tif 000005
【図４】
2005027849.tif 000006
【図５】
2005027849.tif 000007
【図６】
2005027849.tif 000008
【図７】
2005027849.tif 000009
【図８】
2005027849.tif 000010
【図９】
2005027849.tif 000011
【図１０】
2005027849.tif 000012
【図１１】
2005027849.tif 000013
【図１２】
2005027849.tif 000014
【図１３】
2005027849.tif 000015